【事件の表示】
　特許第３１０４９８４号「断層像観察用光走査装置」の請求項１ないし３に係る特許に対する特許異議の申立てについて、次のとおり決定する。
【結　論】
　訂正を認める。
　特許第３１０４９８４号の請求項１ないし３に係る特許を維持する。
【理　由】
１．手続の経緯
　特許第３１０４９８４号の請求項１ないし４に係る発明についての出願は、平成２年９月２７日に特許出願されたもので、平成１２年９月１日にその発明について特許の設定登録がなされた後、請求項１ないし３に係る発明の特許に対して旭光学工業株式会社より特許異議の申立てがなされ、取消理由通知がなされ、その指定期間内である平成１３年９月３日に訂正請求がなされ、その後再度取消理由通知がなされ、その指定期間内である平成１４年５月９日に訂正請求がなされたものである。
　なお、平成１３年９月３日付け訂正請求は平成１４年５月９日に取り下げられた。
　
２．訂正の適否についての判断
ア）訂正の内容
　特許権者が求めている訂正の内容は以下のとおりである。
（ａ）特許明細書の請求項１を次のとおりに訂正する。
「（１） 被検体内部に挿入する挿入部と、この挿入部内を挿通し、回転自在なシャフトと、前記シャフト内に挿通した状態で該シャフトに固定され、断層像観察のために観察部位に照射するための光を導光すると共に、前記観察部位からの反射光を導光する光ファイバと、前記シャフトの先端部に設けられ、前記光ファイバにより導光された断層像観察のための光を偏向して前記観察部位に照射すると共に、前記観察部位の表面及び内部の屈折率の異なる境界面からの反射光を前記光ファイバに戻す偏向手段と、前記シャフトの基端側に配設され、該シャフトを回転させて前記光ファイバと前記偏向手段を回転し、前記光ファイバからの光を前記観察部位に対して走査するモータと、前記光ファイバにより導光された、前記観察部位の各照射位置での反射光を検出する検出手段と、前記検出手段の出力を基に、前記観察部位の光断層像を構築する演算手段とを備えたことを特徴とする断層像観察用光走査装置。」
　
（ｂ）特許明細書の発明の詳細な説明の［課題を解決するための手段及び作用］を次のとおりに訂正する。
「本発明による断層像観察用光走査装置は、被検体内部に挿入する挿入部と、この挿入部内を挿通し、回転自在なシャフトと、前記シャフト内に挿通した状態で該シャフトに固定され、断層像観察のために観察部位に照射するための光を導光すると共に、前記観察部位からの反射光を導光する光ファイバと、前記シャフトの先端部に設けられ、前記光ファイバにより導光された断層像観察のための光を偏向して前記観察部位に照射すると共に、前記観察部位の表面及び内部の屈折率の異なる境界面からの反射光を前記光ファイバに戻す偏向手段と、前記シャフトの基端側に配設され、該シャフトを回転させて前記光ファイバと前記偏向手段を回転し、前記光ファイバからの光を前記観察部位に対して走査するモータと、前記光ファイバにより導光された、前記観察部位の各照射位置での反射光を検出する検出手段と、前記検出手段の出力を基に、前記観察部位の光断層像を構築する演算手段とを備えたことを特徴とする。
　また、本発明による断層像観察用光走査装置は、さらに、前記偏向手段により観察部位側であって、前記シャフトに設けられ、前記偏向手段によって偏向された光を配光するレンズを具備したことを特徴とする。
　また、本発明による断層像観察用光走査装置は、さらに、前記モータに連設するエンコーダと、このエンコーダからの信号が入力された走査位置情報を出力し、該エンコーダからの信号に基づいて前記モータを一定の回転数で駆動させる制御回路とを具備すると共に、前記演算手段は、前記制御回路及び前記検出手段の出力を基に、観察部位の光断層像を構築することを特徴とする。
　また、本発明による断層像観察用光走査装置は、被検体内部に挿入する細長の挿入部と、この挿入部の外周に沿うように環状に配設された複数の光ファイバと、断層像観察のための光を前記複数の光ファイバに順次入射させ、前記複数の光ファイバの先端から順次出射して走査する走査手段と、観察部位の各位置での反射光を検出する検出手段と、前記検出手段の出力を基に、観察部位の光断層像を構築する演算手段とを備えたことを特徴とする。」
　
イ）訂正の目的の適否、新規事項の有無及び拡張・変更の存否
　訂正（ａ）は、請求項１に対する訂正であって、
（１）「このシャフト内を挿通して設けられ、断層像観察のための光を導光する光ファイバ」を、「前記シャフト内に挿通した状態でシャフトに固定され、断層像観察のために観察部位に照射するための光を導光すると共に、前記観察部位からの反射光を導光する光ファイバ」と、
（２）「前記シャフトの先端部に設けられ、前記光ファイバにより導光された断層像観察のための光を偏向する偏向手段」を、「前記シャフトの先端部に設けられ、前記光ファイバにより導光された断層像観察のための光を偏向して前記観察部位に照射すると共に、前記観察部位の表面及び内部の屈折率の異なる境界面からの反射光を前記光ファイバに戻す偏向手段」と、
（３）「前記シャフトの基端側に配設され、該シャフトを回転させるモータ」を、「前記シャフトの基端側に配設され、該シャフトを回転させて前記光ファイバと前記偏向手段を回転し、前記光ファイバからの光を前記観察部位に対して走査するモータ」と、
（４）「観察部位の各位置での反射光を検出する検出手段」を、「前記光ファイバにより導光された、前記観察部位の各照射位置での反射光を検出する検出手段」と、
（５）「前記検出手段の出力を基に、観察部位の光断層像を構築する演算手段」を、「前記検出手段の出力を基に、前記観察部位の光断層像を構築する演算手段」と、
するものであり、特許請求の範囲の減縮を目的とするものである。
　
　そして、特許明細書における「前記挿入部２５のほぼ軸心上に、前記光断層処理制御部２２に接続される光ファイバ２８を内蔵したフレキシブルシャフト２９が挿通され、このフレキシブルシャフト２９の先端側が軸受３０により回転自在に支持されている。尚、前記光ファイバ２８は、前記フレキシブルシャフト２９に固定し、前記光ファイバ２８と前記フレキシブルシャフト２９とを同時に回転させるようにしても良い。」（特許掲載公報第６欄第２９行〜第３５行）、「前記ビームスプリッ夕３９を透過した光は、さらにビームスプリッタ４０を透過してレンズ４１にて集光され、前記プローブ２１の光ファイバ２８に入射された後、この光ファイバ２８を経て観察部位に照射される。また、観察部位からの反射光は、前記レンズ４１を通り、前記ビームスブリッタ４０で反射されてビームスプリッタ４２を透過し、ＫＤＰ４３などの非線形光学素子に入射される。」（特許掲載公報第７欄第４行〜第１０行参照）、「そして、照射された光パルスが、生体組織表面及び内部の屈折率の異なる境界面で反射されると、反射光パルスが前記光ファイバ２８により前記光断層処理制御部２２に導かれ、前記レンズ４１により集光されて前記ビームスプリッタ４９で反射され、ビームスプリッタ４２を透過してＫＤＰ４３に入射される。」（特許掲載公報第８欄第４行〜第９行）、「同時に、前記プローブ２１の操作部２６に内蔵されたモータ３５が、エンコーダ３６の出力に基づいて制御回路２４によりフィードバック制御され、一定の回転数で回転させられる。前記モータ３５の回転は、ギア３３，３４を介して前記フレキシブルシャフト２９に伝達され、このフレキシブルシャフト２９先端の前記ミラー３１が回転させられる。そして、前記挿入部２５から放射状に光走査が行われて上記動作が繰返されると、観察部位の各位置での反射光の時間成分の強度が検出され、前記制御回路２４からの走査位置情報とともに前記コンピュータ５０にて処理される。その結果、観察部位の光断層像が構築され、図示しない表示器に表示される。」（特許掲載公報第８欄第１９行〜第３０行）という記載及び【第６図】に記載された事項からみて、訂正（ａ）は、願書に添付した明細書又は図面に記載した事項の範囲内においてされたものであり、また、実質上特許請求の範囲を拡張し、又は変更するものではない。
　
　訂正（ｂ）は、訂正（ａ）により訂正された記載との整合をとるために発明の詳細な説明の［課題を解決するための手段及び作用］の記載を訂正するものであり、明りょうでない記載の釈明を目的とするものである。そして、訂正（ｂ）は、願書に添付した明細書又は図面に記載した事項の範囲内においてされたものであり、また、実質上特許請求の範囲を拡張し、又は変更するものではない。
　
ウ）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
ア）本件発明
　本件の請求項１ないし３に係る発明は、訂正明細書及び図面の記載からみて、それぞれ、特許請求の範囲の請求項１ないし３に記載された次のとおりのものである。
　
「（１） 被検体内部に挿入する挿入部と、この挿入部内を挿通し、回転自在なシャフトと、前記シャフト内に挿通した状態で該シャフトに固定され、断層像観察のために観察部位に照射するための光を導光すると共に、前記観察部位からの反射光を導光する光ファイバと、前記シャフトの先端部に設けられ、前記光ファイバにより導光された断層像観察のための光を偏向して前記観察部位に照射すると共に、前記観察部位の表面及び内部の屈折率の異なる境界面からの反射光を前記光ファイバに戻す偏向手段と、前記シャフトの基端側に配設され、該シャフトを回転させて前記光ファイバと前記偏向手段を回転し、前記光ファイバからの光を前記観察部位に対して走査するモータと、前記光ファイバにより導光された、前記観察部位の各照射位置での反射光を検出する検出手段と、前記検出手段の出力を基に、前記観察部位の光断層像を構築する演算手段とを備えたことを特徴とする断層像観察用光走査装置。
（２） 前記偏向手段より観察部位側であって、前記シャフトに設けられ、前記偏向手段によって偏向された光を配光するレンズを具備したことを特徴とする請求項１記載の断層像観察用光走査装置。
（３） 前記モータに連設するエンコーダと、このエンコーダからの信号が入力され走査位置情報を出力し、該エンコーダからの信号に基づいて前記モータを一定の回転数で駆動させる制御回路とを具備すると共に、前記演算手段は、前記制御回路及び前記検出手段の出力を基に、観察部位の光断層像を構築することを特徴とする請求項１または請求項２記載の断層像観察用光走査装置。」
　
イ）申立ての理由の概要
　特許異議申立人旭光学工業株式会社は、下記の甲第１ないし４号証を提示し、
（１）本件の請求項１、２に係る発明は、甲第１ないし３号証に記載された発明に基づいて当業者が容易に発明することができたものであり、
（２）本件の請求項３に係る発明は、甲第１ないし４号証に記載された発明に基づいて当業者が容易に発明することができたものであるから、本件の請求項１ないし３に係る発明の特許は特許法第２９条の規定に違反してなされたものであり、
取り消されるべきものである、と主張している。
　
ウ）刊行物等
　特許異議申立人が証拠として提示した甲第１ないし４号証及び当審で通知した取消理由で引用した刊行物には、それぞれ、以下の事項が記載されている。
（１）刊行物１：特開昭６３−２６５５５号公報（甲第１号証と同一刊行物）には、
（１−１）
「（４）短い幅のパルス光を発生するパルスレーザ光源と、ストリークカメラと、一端が前記被計測物体の内部に導入されている画像伝送用光イメージファイバと、前記パルスレーザ光源からのパルス光を前記画像伝送用光イメージファイバに導入する光学系と、前記画像伝送用光イメージファイバから物体内部に照射されて前記物体内部で反射し前記画像伝送用光イメージファイバから取り出された光の像を前記ストリークカメラのストリーク管の光電陰極面に結像させる結像光学系と、前記ストリークカメラの出力を解析する解析装置から構成した光を用いた物体内部構造の３次元計測装置。」（特許請求の範囲）、
　
（１−２）
　「第４図は、本発明による光を用いた物体内部構造の３次元計測装置の第４の実施例を示すブロック図である。
　この装置は、イメージガイドから物体内部に光パルスを導き、その光パルスの物体内部からの反射光の像を前記イメージガイドを介して検出するように構成されている。
　パルスレーザ光源１からの短い幅のパルス光はハーフミラー４１により反射されて、一端が被計測物体３の内部に導入されている画像伝送用光イメージファイバ２１の他端に供給され、被計測物体３の内部を照射する。
　物体内部に投射された光は物体内部に散在する屈折率の異なる部分により反射されて戻る。
　遠く離れた部分からの反射の方が遅れて戻る。
　画像伝送用光イメージファイバ２１から取り出された光の像は結像光学系２０によりストリークカメラ４のストリーク管の光電陰極面に結像させられる。
　前記ストリークカメラ４の出力は、読み出し装置５により読み出され、分析装置６により分析されて、被計測物体３の内部の３次元データが解析される。
　この装置も第３図に示した装置と同様に、物体内部表面の３次元的形状と、表面近傍の内部構造を明らかとすることができる。物体の光透過率が低い場合に、物体内部の詳細な構造等を明らかとする必要がある場合に有効となる。」（第４頁右上欄第２行〜左下欄第１０行）、
　
（１−３）
　「３次元物体の３次元形状や内部の構造を物体を破壊することなく計測することができる。」（第４頁左下欄第１３行〜第１４行）、
　
（１−４）
　「また本発明による装置は、前記人体等の生体の計測の他に工業製品の内部構造の計測等に広く利用できる。」（第４頁右下欄第６行〜第８行）、
　
（１−５）
　「２２・・・イメージガイドの対物レンズ」（第５頁右上欄第５行）、
と記載されている。
　
　上記（１−１）〜（１−５）の記載および第４図に記載された事項からみて、刊行物１には「被検体内部に挿入し、断層像観察のために観察部位に照射するための光を導光すると共に、前記観察部位の表面及び内部の屈折率の異なる境界面からの反射光を導光する光イメージファイバと、前記光イメージファイバにより導光された反射光を検出する検出手段と、前記検出手段の出力を基に、前記観察部位の光断層像を構築する演算手段とを備えたことを特徴とする断層像観察用装置。」という発明が記載されている。
　
（２）刊行物２：特開昭５７−７５６２５号公報（甲第３号証と同一刊行物）には、
（２−１）
　「以下この発明を、図示する一実施例を参照して説明する。
（中略）
　また、２０は挿入部４内を挿通する光学ユニットである。この光学ユニット２０は、超音波振動子１４と対向した位置に観察窓２１ａを有する観察光学系導光部材２１と、その外側に並設された証明光学系導光部材２２とからなり、これらの導光部材２１、２２は光学繊維のごとき可撓性を有する透明な素材により形成されている。そして超音波振動子１４と観察窓２１ａとは同一の中心軸線Ｏ１ 上に配置してある。そして、観察光源系導光部材２１は前記接眼部３に導びかれ、また照明光学系導光部材２２はユニバーサルコード５内を挿通して光源装置７内の光源ランプの光を取入れるようになっている。
　そして上記光学ユニット２０の外側に、密着巻きしたコイルのようにフレキシブルな可撓軸２３が挿通されている。この可撓軸２３は操作部２に内蔵したモータ２４によって回転駆動されるようになっている。そして上記可撓軸２３には、両面反射板２５を連結してある。この両面反射板２５は、軸受２６、２７によって先端金物１０に回転自在に支持される基部２５ａと、反射板収容室１３に収容される本体部２５ｂとからなる。そしてこの本体部２５ｂが、超音波振動子１４と観察窓２１ａとの間に４５°の角度で斜状に介在している。上記本体部２５ｂは、超音波振動子１４側に超音波反射面２８を有し、観察窓２１ａ側に光学反射面２９を有している。」（第２頁左上欄第１１行〜右下欄第５行）、
　
（２−２）
　「本実施例によれば超音波診断下にある体壁像を同時に直接観察できる。」（第３頁右上欄第２行〜第３行）、　
と記載されている。
　
　してみると、刊行物２には「被検体内部に挿入する挿入部と、この挿入部内を挿通し、回転自在なシャフトと、このシャフト内を挿通して設けられた観察部位に照射するための光を導光する第１の光ファイバ及び前記観察部位からの反射光を導光する第２の光ファイバと、前記シャフトの先端部に設けられ、前記第１の光ファイバにより導光された光を偏向して前記観察部位に照射し、前記観察部位の表面からの反射光を前記第２の光ファイバに戻す偏向手段と、前記シャフトの基端側に配設され、該シャフトを回転させて前記偏向手段を回転し、前記第１の光ファイバからの光を前記観察部位に対して走査するモー夕とを備えた装置。」という発明が記載されている。
　
（３）刊行物３：特開昭６２−１５５８２７号公報には、
（３−１）
　「（１）膀胱に挿入され先端よりに外周方向に光を透過する透明窓が設けられている内視鏡筒体と、前記内視鏡筒体の軸に対して傾きを保ち、前記透明窓の位置で回転可能に支持されている反射面と、前記内視鏡筒体内に設けられ前記反射面を回転させるモータと、前内視鏡筒体内に設けられているライトガイドと、前記ライトガイドに前記内視鏡筒体外部から照明光を導入する照明光源と、前記ライトガイドからの照明光を前記反射面に接続するレンズと、前記照明光により照射された部分から前記透明窓、反射面、レンズ、ライトガイドを介し導き出される光を光電変換する光電変換装置から構成した膀胱癌診断装置。」（特許請求の範囲）、
　
（３−２）
　「第１図は、本発明による膀胱癌診断装置の実施例の内視鏡筒体の部分を破断して示した図である。
　先端が球状である内視鏡筒体１２の先端よりの部分全周に透明窓１３が設けられている。
　この内視鏡筒体１２を患者の膀胱に挿入して挿入深さを順次変えることにより、癌細胞の存否とその位置に関する情報を得る。
　この内視鏡筒体１２ の基部側にはライトガイド１１が支持されおり、このライトガイド１１からの光はレンズ８を介してプリズム４に供給される。
　プリズム４の反射面は前記内視鏡筒体の中心軸に対して４５°傾けられており、この軸を回転中心軸として回転可能に支持されている。
　内視鏡筒体１２の先端に収容されている小形のモータ９は外部から供給される電力により前記プリズム４を回転させる。
　照射用の光源であるキセノンランプ１の光は反射鏡２により集光されてフィル夕５、ダイクロイックミラ−３を介して前記ライトガイド１１に入射させられる。
　フィルタ５は４０５ｎｍの光を透過させるフィル夕である．
　前記ライトガイド１１から放出された光はレンズ８、プリズム４、透明窓１３を介して外部に放射される。レンズ８は前記光を内視鏡筒体の軸から一定の距離に集光させるレンズであり、この距離は内視鏡筒体の軸から膀胱の表面までの距離に選ばれている
　前記光により照射された部分の蛍光発光は照射光と全く逆の経路をたどりライトガイ ド１１から放出される。
　この光はダイクロイックミラ−３を透過し、フィルタの組６により、６００〜７００ｎｍの光が透過させられる。
　フィルタの組６を透過した光はレンズ７により集光され、光電子増倍管により増幅される。」（第２頁左下欄第７行〜第３頁左上欄第１行）、
と記載されている。
　
（４）刊行物４：（実願昭５９−１５２０４９号（実開昭６１−６８６９２号）のマイクロフィルム）には、
　「１）ロータリエンコーダによりマイクロモータの回転数を検出して設定回転数と比較制御するものにおいて、上記ロータリエンコーダの出力信号を用いて該出力信号に対し位相遅れを有した信号を作成し、上記出力信号と該位相遅れ信号の比較により独立した矩形波の波形整形信号を作成する波形整形回路を設け、この波形整形信号を周波数／電圧変換回路に入力すべく構成してなるロータリエンコーダ付きマイクロモータの制御回路。」（実用新案登録請求の範囲）、　
と記載されている。
　
（５）刊行物５：特開昭６３−８５４１７号公報（甲第２号証と同一刊行物）には、
（５−１）
　「光源から出射されるパルス光を被測定物に照射する測定光と基準時間設定用の基準光とに分岐する分岐手段と、前記被測定物に前記測定光を照射して得られる反射光を検出する光検出器と、前記光検出器への入射を許容、遮断する光シャッターと、前記基準光が入射されると、これに応答して前記光シャッターを開閉駆動する駆動手段と、前記被測定物から光シャッターに至る反射光路と前記光源から前記駆動手段に至る基準光路との光路長を相対的に変化させる光路長調整手段とを備える光時間分解測定装置。」（特許請求の範囲）、
　
（５−２）
　「レーザー光源２からフォトダイオード４へ、レーザー光源２→‥‥‥逆にその位置をｂ側とすることにより基準光路Ａを短くするようになっている。」（第２頁右上欄第１５行〜左下欄１２行）、
と記載されている。
　
（６）刊行物６：実願昭５５−１１４４０４号（実開昭５７−４０４０１号）のマイクロフィルム（甲第４号証と同一刊行物）には、
（６−１）
　「駆動手段の回転を検出して一定回転角度毎にパルスを発生するパルス発生手段」（第４頁第５行〜第６行）、
　
（６−２）
　「駆動手段の回転を制御すると共に、超音波振動子での受信信号、走査開始位置検出手段からの走査開始信号およびパルス発生手段からのパルスを処理する制御・処理回路１７を設け、」（第４頁第１１行〜第１５行）、
　
（６−３）
　「超音波スキャン収納部１５内には、上述した発光素子５５Ａおよび受光素子５５Ｂの他に、第３図に示すように、モータ６５および一定回転角度毎にパルスを発生するロータリーエンコーダ等の角度検出器６７を設け、モータ６５の回転をギヤ６９Ａ、６９Ｂを経て角度検出器６７に伝達する。また、角度検出器６７および超音波ミラー３７は可撓性部分３内に延在して設けたコイルワイヤ等の可撓性の動力伝達部材７１で連結し、超音波ミラー３７をギヤ６８Ａ、６９Ｂおよび動力伝達部材７１を介してモータ６５により回転させるよう構成する。」（第７頁第２行〜第１２行）、
　
（６−４）
　「角度検出器６７により検出される相対的な回転角度を測定すれば、超音波ビームの絶対的な方向を示す真の角度情報を得ることができるから、所望の部位の正確なセクタスキャン像を造形することができる。」（第８頁第５行〜第９行）、
と記載されている。
　
エ）当審の判断
（１）本件の請求項１に係る発明と刊行物１に記載された発明とを対比すると、両者は「被検体内部に挿入し、断層像観察のために観察部位に照射するための光を導光すると共に前記観察部位の表面及び内部の屈折率の異なる境界面からの反射光を導光する光ファイバと、前記光ファイバにより導光された反射光を検出する検出手段と、前記検出手段の出力を基に、前記観察部位の光断層像を構築する演算手段とを備えたことを特徴とする断層像観察用装置。」である点で一致し、
　本件の請求項１に係る発明は「断層像観察用光走査装置」であり、走査するための構成（被検体内部に挿入する挿入部内を挿通し、回転自在であり、その内を光ファイバが
固定されて
　
　上記相違点について検討する。
　観察部位に対して走査を行うことは、この出願前に公知であり（例えば、刊行物２、３を参照のこと）、刊行物１に記載された断層像観察用装置においても走査を行い、複数の位置での像を得ようとすることは、当業者であれば容易に想到し得ることである。しかしながら、走査するための構成において、断層像観察のために観察部位に照射するための光を導光すると共に前記観察部位からの反射光を導光する光ファイバをシャフト内に挿通した状態で該シャフトに固定することは、刊行物２ないし６に記載も示唆もされておらず、それらの刊行物の記載に基づいて本件の請求項１に係る発明の上記構成を当業者は容易に得ることはできない。そして、その構成により本件の請求項１に係る発明は、シャフトの先端部に設けられた偏向手段と光ファイバとの位置関係を保つことができ、「確実に断層像を得ることができる」という特許明細書の［発明の効果］に記載された効果を得ることができる。
　
　従って、本件の請求項１に係る発明が刊行物１ないし６に記載された発明に基づいて当業者が容易に発明をすることができたものではないから、請求項１に係る発明についての特許が特許法第２９条の規定に違反してされたとはいえない。
　
　また、本件の請求項２に係る発明は、本件の請求項１に係る発明をさらに限定したものであり、本件の請求項１に係る発明について述べた理由と同様の理由により、刊行物１ないし６に記載された発明に基づいて当業者が容易に発明をすることができたものではないから、請求項２に係る発明についての特許が特許法第２９条の規定に違反してされたとはいえない。
　
　さらに、本件の請求項３に係る発明は、本件の請求項１又は２に係る発明をさらに限定したものであり、本件の請求項１に係る発明について述べた理由と同様の理由により、刊行物１ないし６に記載された発明に基づいて当業者が容易に発明をすることができたものではないから、請求項３に係る発明についての特許が特許法第２９条の規定に違反してされたとはいえない。
　
オ）むすび
　以上のとおりであるから、特許異議申立ての理由及び証拠によっては、本件の請求項１ないし３に係る発明についての特許を取り消すことはできない。
　また、他に本件の請求項１ないし３に係る発明についての特許を取り消すべき理由を発見しない。
  よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月２４日（２００２．５．２４）
【訂正の要旨】
　特許第３１０４９８４号発明の明細書を、本件特許異議申立てに関連してなされた訂正請求書に添付した訂正明細書のとおりに訂正する。
（訂正事項ａ）
　特許請求の範囲の請求項１を、特許請求の範囲の減縮を目的として、
「被検体内部に挿入する挿入部と、この挿入部内を挿通し、回転自在なシャフトと、
前記シャフト内に挿通した状態で該シャフトに固定され
に観察部位に照射するため
と共に、前記観察部位からの反射光を導光する
偏向して前記観察部位に照射すると共に、前記観察部位の表面及び内部の屈折率の異なる境界面からの反射光を前記光ファイバに戻す
て前記光ファイバと前記偏向手段を回転し、前記光ファイバからの光を前記観察部位に対して走査する
前記光ファイバにより導光された、前記
照射
前記
（訂正事項ｂ）
　発明の詳細な説明の［課題を解決するための手段及び作用］を、明りょうでない記載の釈明を目的として、
「本発明による断層像観察用光走査装置は、被検体内部に挿入する挿入部と、この挿入部内を挿通し、回転自在なシャフトと、
前記シャフト内に挿通した状態で該シャフトに固定され
に観察部位に照射するため
と共に、前記観察部位からの反射光を導光する
偏向して前記観察部位に照射すると共に、前記観察部位の表面及び内部の屈折率の異なる境界面からの反射光を前記光ファイバに戻す
て前記光ファイバと前記偏向手段を回転し、前記光ファイバからの光を前記観察部位に対して走査する
前記光ファイバにより導光された、前記
照射
前記
　また、本発明による断層像観察用光走査装置は、さらに、前記偏向手段により観察部位側であって、前記シャフトに設けられ、前記偏向手段によって偏向された光を配光するレンズを具備したことを特徴とする。
　また、本発明による断層像観察用光走査装置は、さらに、前記モータに連設するエンコーダと、このエンコーダからの信号が入力された走査位置情報を出力し、該エンコーダからの信号に基づいて前記モータを一定の回転数で駆動させる制御回路とを具備すると共に、前記演算手段は、前記制御回路及び前記検出手段の出力を基に、観察部位の光断層像を構築することを特徴とする。
　また、本発明による断層像観察用光走査装置は、被検体内部に挿入する細長の挿入部と、この挿入部の外周に沿うように環状に配設された複数の光ファイバと、断層像観察のための光を前記複数の光ファイバに順次入射させ、前記複数の光ファイバの先端から順次出射して走査する走査手段と、観察部位の各位置での反射光を検出する検出手段と、前記検出手段の出力を基に、観察部位の光断層像を構築する演算手段とを備えたことを特徴とする。」
（５４）【発明の名称】
断層像観察用光走査装置
（５７）【特許請求の範囲】
（１）被検体内部に挿入する挿入部と、この挿入部内を挿通し、回転自在なシャフトと、
前記シャフト内に挿通した状態で該シャフトに固定され
に観察部位に照射するため
と共に、前記観察部位からの反射光を導光する
偏向して前記観察部位に照射すると共に、前記観察部位の表面及び内部の屈折率の異なる境界面からの反射光を前記光ファイバに戻す
て前記光ファイバと前記偏向手段を回転し、前記光ファイバからの光を前記観察部位に対して走査する
前記光ファイバにより導光された、前記
照射
前記
（２）前記偏向手段より観察部位側であって、前記シャフトに設けられ、前記偏向手段によって偏向された光を配光するレンズを具備したことを特徴とする請求項１記載の断層像観察用光走査装置。
（３）前記モータに連設するエンコーダと、このエンコーダからの信号が入力され走査位置情報を出力し、該エンコーダからの信号に基づいて前記モータを一定の回転数で駆動させる制御回路とを具備すると共に、前記演算手段は、前記制御回路及び前記検出手段の出力を基に、観察部位の光断層像を構築することを特徴とする請求項１または２記載の断層像観察用光走査装置。
（４）被検体内部に挿入する細長の挿入部と、この挿入部の外周に沿うように環状に配設された複数の光ファイバと、断層像観察のための光を前記複数の光ファイバに順次入射させ、前記複数の光ファイバの先端部から順次入射させ、前記複数の光ファイバの先端部から順次射出して走査する走査手段と、観察部位の各位置での反射光を検出する検出手段と、前記検出手段の出力を基に、観察部位の光断層像を構築する演算手段とを備えたことを特徴とする断層像観察用光走査装置。
【発明の詳細な説明】
［産業上の利用分野］
　本発明は断層像観察のための光を走査し、被検体の内部情報の可視化を容易とする断層像観察用光走査装置に関する。
［従来技術］
　近年、診療における画像利用が普及し、被検体の内部情報を無侵襲的、非接触的に計測する技術の重要性がますます高まっている。
　従来、生体などの被検体内部の情報の無侵襲的、非接触的な計測は、主としてＸ線によって行われていたが、このＸ線の使用は、放射線被爆の問題や生体機能の画像化が困難という問題があり、超音波内視鏡による体腔内組織の透視が行われるようになった。
　しかしながら、前記超音波内視鏡は、空間分解能があまり高くなく、形態以外の生理的組成などの情報を知ることはできない。さらに前記超音波内視鏡の使用に際しては、水などの媒体が必要であるため、被検体の観察に際しての処置が繁雑であるという問題がある。
　このため、最近では、光を用いて被検体内部の情報を可視化する光ＣＴに係わる技術が種々提案されており、例えば、特開平１−２０９３４２号公報に、その先行技術が開示されている。
［発明が解決しようとする課題］
　前記光ＣＴなどによる断層像観察においては、断層像観察のための光を導く挿入部を被検体内部へ挿入し、この挿入部を湾曲動作させるなどして、適切に光走査が行われるようにする必要がある。
　しかしながら、従来、前記挿入部外周に位置する観察部位の断層像を得ようとする場合などには、前記挿入部の複雑な湾曲操作などが必要となり、光走査が不適切となるおそれがある。
　さらに、前記挿入部の挿入が可能な被検体内部の空間が極めて狭い場合などには、前記挿入部の動きが制限されて適切な光走査が行なえず、希望する断層像が得られない可能性がある。
　本発明は上記事情に鑑みてなされたものであり、断層像観察に必要な光の走査を、簡単な操作で、しかも、確実に行なうことのできる断層像観察用光走査装置を提供することを目的とする。
［課題を解決するための手段及び作用］
　本発明による断層像観察用光走査装置は、被検体内部に挿入する挿入部と、この挿入部内を挿通し、回転自在なシャフトと、
前記シャフト内に挿通した状態で該シャフトに固定され、
に観察部位に照射するため
と共に、前記観察部位からの反射光を導光する
偏向して前記観察部位に照射すると共に、前記観察部位の表面及び内部の屈折率の異なる境界面からの反射光を前記光ファイバに戻す
て前記光ファイバと前記偏向手段を回転し、前記光ファイバからの光を前記観察部位に対して走査する
前記光ファイバにより導光された、前記
照射
前記
　また、本発明による断層像観察用光走査装置は、さらに、前記偏向手段により観察部位側であって、前記シャフトに設けられ、前記偏向手段によって偏向された光を配光するレンズを具備したことを特徴とする。
　また、本発明による断層像観察用光走査装置は、さらに、前記モータに連設するエンコーダと、このエンコーダからの信号が入力された走査位置情報を出力し、該エンコーダからの信号に基づいて前記モータを一定の回転数で駆動させる制御回路とを具備すると共に、前記演算手段は、前記制御回路及び前記検出手段の出力を基に、観察部位の光断層像を構築することを特徴とする。
　また、本発明による断層像観察用光走査装置は、被検体内部に挿入する細長の挿入部と、この挿入部の外周に沿うように環状に配設された複数の光ファイバと、断層像観察のための光を前記複数の光ファイバに順次入射させ、前記複数の光ファイバの先端から順次出射して走査する走査手段と、観察部位の各位置での反射光を検出する検出手段と、前記検出手段の出力を基に、観察部位の光断層像を構築する演算手段とを備えたことを特徴とする。
［実施例］
　以下、図面を参照して本発明を具体的に説明する。
　第１図〜第３図は本発明の第１実施例を示し、第１図は断層像観察用光走査装置の概略構成図、第２図は光ファイバの配置を示す説明図、第３図は光ファイバの先端形状を示す説明図である。
　第１図に示すように、断層像観察用光走査装置は、被検体内部に挿入される細長で可撓性を有する挿入部１と、断層像観察のための光を出射するとともに、被検体内部からの反射光を受光する送受光装置３と、ガルバノメータ４と、このガルバノメータ４を制御する制御回路５とを備えている。
　前記挿入部１は、例えば内視鏡の挿入部として構成され、先端部６のチャンネル部６ａに、照明窓７、観察窓８、及び、吸引チャンネル９などが形成されている。
　前記照明窓７の内側には図示しない配光レンズが装着され、この配光レンズの後端にライトガイド１０が連設されている。このライトガイド１０は、前記挿入部１内を挿通されて図示しない光源装置に接続され、この光源装置からの照明光を伝送して前記照明窓７から被検体の観察部位に照射するようになっている。
　また、前記観察窓８の内側には図示しない対物レンズが設けられ、この対物レンズの結像位置に、イメージガイド１１の先端面が配置されている。このイメージガイド１１は、前記挿入部１内を挿通され、後端面が図示しない接眼部内の接眼レンズに対向している。そして、前記対物レンズによって結像された観察部位の光学像が前記イメージガイド１１によって導かれ、前記接眼部から肉眼観察が可能なようになっている。
　また、前記挿入部１には、断層像観察のための光を放射状に走査する手段としての光ファイバ束２が設けられ、この光ファイバ束２は、前記挿入部１外周側に複数の光ファイバ１２が環状に配設されて構成されている。
　第２図に示すように、前記光ファイバ１２の先端は、前記先端部６の外周側に前記チャンネル部６ａを囲繞するよう配設されており、第３図に示すように、先端がファイバ軸に対して、例えば４５°にカットされてテーパ面１２ａが形成されている。
　そして、このテーパ面１２ａに、アルミニウム、銀、金などが蒸着されてミラー面が形成されるとともに、このミラー面が前記挿入部１先端で内側になるよう配列され、前記送受光装置３からの光をファイバ軸側方に放射し、また、被検体内部から反射された反射光をファイバ軸方向に入射するようになっている。
　また、前記送受光装置３の内部には、例えばピコ秒単位の光パルスを出射するパルスレーザ、このパルスレーザから出射される光パルスの光路を形成するためのレンズ及びミラー群、及び、撮像手段などを備えている。
　前記送受光装置３のパルスレーザーから光パルスが出射されると、この光パルスの出射に連動して前記制御回路５により前記ガルバノメータ４のミラー４ａの振り角が制御され、前記光ファイバ束２の各光ファイバ１２へ入射されるようになっている。
　尚、前記光ファイバ１２は、端部にテーパ面１２ａを形成せずにプリズムを配置しても良く、また、前記光ファイバ１２に代え、第４図に示すように、先端部１３ａを前記挿入部１から外側方向に曲げた光ファイバ１３を使用して前記光ファイバ束２を構成しても良い。
　次に、前記断層像観察用光走査装置を用いた光断層像観察について説明する。
　例えば、人体臓器の患部の光断層像を観察する場合、まず、挿入部１を体腔内部に挿入する。次いで、先端部６外周側が患部位置に達したら、送受光装置３内のパルスレーザーより、半値幅が数ピコ秒の極めて時間幅の短い光パルスを発生させ、この光パルスをガルバノメータ４のミラー４ａで反射させて光ファイバ束２を構成する各光ファイバ１２に入射させる。
　前記各光ファイバ１２に入射された光パルスは、先端のテーパ面１２ａで反射されてファイバ軸側方へ放射され、前記光ファイバ束２から外側に向かって放射状に光走査が行われる。そして、患部に照射された光が組織表面及び内部で反射されると、この反射光が、前記光ファイバ束２から前記ガルバノメータ４のミラー４ａを経て前記送受光装置３内に導光され、内部のレンズ及びミラー群を経て、例えばストリークカメラなどの撮像手段に入射される。
　前記ストリークカメラでは、前記反射光の時間分解波形を検出し、この時間分解波形を図示しない処理装置で処理することにより観察部位の断層像が得られ、図示しない表示装置に表示される。
　すなわち、前記挿入部１を被検体内部に挿入して断層像を観察する場合、前記挿入部１の複雑な湾曲操作を要することなく、前記挿入部１の先端部６外周側を観察部位まで挿入するのみで、前記挿入部１から放射状に光走査が行われるため、希望する観察部位の断層像が容易に得られるのである。
　尚、前記ガルバノメータ４に代え、第５図に示すように、前記光ファイバ束２と前記送受光装置３との間に、ＡＯＭ（音響光学素子）１４を配置し、このＡＯＭ１４を制御回路１５で制御することにより、前記送受光装置３からの光を走査制御するようにしても良い。
　第６図及び第７図は本発明の第２実施例を示し、第６図は光断層像観察のためのシステム構成図、第７図はプローブ保持バルーンを示す説明図である。
　この第２実施例は、前述の第１実施例に対してシングルファイバを用い、機械的に光走査を行なうものである。
　第６図に示すように、光断層像観察のためのシステムは、プローブ２１と、光断層処理制御部２２と、画像処理装置２３と、前記プローブ２１の光走査駆動を制御する制御回路２４とを備えている。
　前記プローブ２１は、被検体内部に挿入される細長で可撓性を有する挿入部２５と、この挿入部２５の基部側に設けられた太幅の操作部２６とを有し、前記挿入部２５先端側には、先端が閉塞された円筒状の透光性カバー２７が装着されている。
　また、前記挿入部２５のほぼ軸心上に、前記光断層処理制御部２２に接続される光ファイバ２８を内蔵したフレキシブルシャフト２９が挿通され、このフレキシブルシャフト２９の先端側が軸受３０により回転自在に支持されている。尚、前記光ファイバ２８は、前記フレキシブルシャフト２９に固定し、前記光ファイバ２８と前記フレキシブルシャフト２９とを同時に回転させるようにしても良い。さらに、前記透光性カバー２７内に露呈する前記フレキシブルシャフト２９先端に、前記フレキシブルシャフト２９の軸心に対して例えば４５°の傾斜角を有するミラー３１と、このミラー３１からの反射光を配光するためのレンズ３２とが設置されている。
　また、前記フレキシブルシャフト２９の前記操作部２６側には、ギア３３が外嵌固定され、このギア３３にギア３４が噛合している。このギア３４はモータ３５の出力軸に固定され、このモータ３５にはエンコーダ３６が連設されている。前記モータ３５には前記制御回路２４が接続され、この制御回路２４に前記エンコーダ３６からの信号が入力されて前記モータ３５の回転が制御されるようになっている。
　前記光断層処理制御部２２は、例えば色素レーザーとＮｄ：ＹＡＧレーザーとを組合わせたパルスレーザー３７を備え、前記Ｎｄ：ＹＡＧレーザーの出射光が色素レーザー内の色素（例えばＲｈｏｄａｍｉｎｅ　６Ｇ）に照射され、この色素レーザーの出射光がレンズ３８により収束されてビームスプリッタ３９によって２つに分離されるようになっている。
　前記ビームスプリッタ３９を透過した光は、さらにビームスプリッタ４０を透過してレンズ４１にて集光され、前記プローブ２１の光ファイバ２８に入射された後、この光ファイバ２８を経て観察部位に照射される。また、観察部位からの反射光は、前記レンズ４１を通り、前記ビームスプリッタ４０で反射されてビ−ムスプリッタ４２を透過し、ＫＤＰ４３などの非線形光学素子に入射される。
　一方、前記パルスレーザー３７から出射され、ビームスプリッタ３９で反射された光は、遅延ミラー装置４４のミラー４４ａ，４４ｂで反射され、ミラー４５を経て前記ビームスプリッタ４２で反射され、参照光として前記ＫＤＰ４３に入射されるようになっている。
　前記ＫＤＰ４３は、観察部位からの反射光と前記参照光とを入力することにより、第２高調波を発生する。この第２高調波はフィルタ４６を通過して光電子増倍管４７により検出されるようになっており、前記フィルタ４６は、前記パルスレーザー３７の出射光の波長をλとしたとき、第２高調波である波長λ／２を含む狭い帯域を通過させる特性となっている。
　また、前記遅延ミラー装置４４は、互いに対向するミラー４４ａ，４４ｂが可動ステージ４４ｃに固定され、この可動ステージ４４ｃを移動させる移動装置４４ｄがモータ４４ｅによって駆動されて前記参照光の光路長を変化させるようになっている。
　前記ＫＤＰ４３が発生する第２高調波の強度は、前記反射光と参照光をそれぞれ時間の関数とした場合の反射光と参照光の積の積分値に比例するため、前記ミラー４４ａ，４４ｂを移動させて参照光の光路長を変化させることにより、観察部位内部からの反射光の任意の時間成分の強度を、前記光電子増倍管４７で検出することができる。
　前記光電子増倍管４７の出力は、画像処理装置２３に入力され、この画像処理装置２３内には、同期検波増幅器と直流電流計とを組合わせて前記光電子増倍管４７の出力を高感度に検出するロックインアンプ４８、このロックインアンプ４８からのアナログ信号をデジタル信号に変換するＡ／Ｄコンバータ４９、及び、このＡ／Ｄコンバータ４９からのデジタル信号を処理し、観察部位の光断層像を画像処理するコンピュータ５０を備えている。
　次に、本実施例の作用について説明する。
　プローブ２１の挿入部２５を生体などの被検体内部に挿入し、この挿入部２５の先端側を観察部位に位置させ、次いで、光断層処理制御部２２内のパルスレーザ３７より数ピコ秒の光パルスを出射させる。この光パルスは、ビームスプリッタ３９，４０を透過し、レンズ４１を介して光ファイバ２８に入射され、この光ファイバ２８内を導かれて先端面から出射される。
　前記光ファイバ２８から出射された光パルスは、透光性カバー２７内に露呈するフレキシブルシャフト２９先端のミラー３１で反射され、レンズ３２を介して前記挿入部２５側方に出射されて観察部位に照射される。
　そして、照射された光パルスが、生体組織表面及び内部の屈折率の異なる境界面で反射されると、反射光パルスが前記光ファイバ２８により前記光断層処理制御部２２に導かれ、前記レンズ４１ににより集光されて前記ビームスプリッタ４９で反射され、ビームスプリッタ４２を透過してＫＤＰ４３に入射される。
　このとき、前記パルスレーザー３７より出射されビームスプリッタ３９にて分離された光パルスは、ミラー４４ａ，４４ｂ→ビームスプリッタ４５→ビームスプリッタ４２へと導かれ、このビームスプリッタ４２で反射されて前記ＫＤＰ４３に参照光として入射される。
　このＫＤＰ４３で発生した第２高調波は、フィルタ４６を介して光電子増倍管４７により検出され、さらに、ロックインアンプ４８を経てＡ／Ｄコンバータ４９によりデジタル信号に変換されてコンピュータ５０に入力される。
　同時に、前記プローブ２１の操作部２６に内蔵されたモータ３５が、エンコーダ３６の出力に基づいて制御回路２４によりフィードバック制御され、一定の回転数で回転させられる。前記モータ３５の回転は、ギア３３，３４を介して前記フレキシブルシャフト２９に伝達され、このフレキシブルシャフト２９先端の前記ミラー３１が回転させられる。
　そして、前記挿入部２５から放射状に光走査が行われて上記動作が繰返されると、観察部位の各位置での反射光の時間成分の強度が検出され、前記制御回路２４からの走査位置情報とともに前記コンピュータ５０にて処理される。その結果、観察部位の光断層像が構築され、図示しない表示器に表示される。
　この第２実施例においても、前述した第１実施例同様、光断層像の観察に際して、前記挿入部２５の複雑な湾曲操作を要することなく、希望する観察部位の光断層像を容易に得ることができる。
　ところで、前記プローブ２１を用いて光断層像観察を行なう際には、第７図に示すように、前記挿入部２５に装着したプローブ保持用バルーン５１を使用することが望ましい。
　この場合、前記挿入部２５を被検体内部に挿入し、先端部が観察部位に達したとき、送吸気用チャンネル５２から前記バルーン５１に送気することにより、前記挿入部２５の位置がずれないよう保持することができ、被検体内部からの反射光強度が小さい場合などの積分値に対し、ノイズを低減してＳ／Ｎ比を向上させることができるという利点を有する。
　第８図以下は本発明の第３実施例を示し、第８図は光断層像観察のための内視鏡装置の構成図、第９図はシステム構成図、第１０図は光ファイバ用外装チューブの構成を示す断面図である。
　第８図に示すように、内視鏡装置は、内視鏡６０と、この内視鏡６０が接続される光源装置６１，ビデオプロセッサ６２及び光断層処理装置６３と、前記ビデオプロセッサ６２に接続されるモニタ６４とを備えている。
　前記内視鏡６０は、細長で可撓性を有する挿入部６５と、この挿入部６５の後端に連設された操作部６６と、この操作部６６の側部から延出されたユニバーサルコード６７とを備えている。
　前記ユニバーサルコード６７内には、前記光源装置６１からの照明光を伝送する図示しないライトガイドが挿通されており、また、前記ユニバーサルコード６７の端部には、前記光源装置６１に着脱自在に接続される光源コネクタ６８が設けられている。この光源コネクタ６８からは、信号ケーブル６９が延出され、この信号ケーブル６９の端部に、前記ビデオプロセッサ６２に着脱自在に接続される信号コネクタ７０が設けられている。
　また、前記操作部６６には、前記挿入部６５に設けられた湾曲部を湾曲操作するための湾曲操作ノブ７１と、ライトガイド駆動部７２とが設けられ、このライトガイド駆動部７２と前記光断層処理装置６３とが、ライドガイド７３を介して接続されている。
　また、前記挿入部６５の先端部７４の側部には、観察窓７５と２つの照明窓７６が設けられ、前記先端部７４の最前端部には、先端が閉塞された円筒状の透光性カバー７７が装着されている。
　さらに、前記挿入部６５及び操作部６６内には、先端側が前記透光性カバー７７内に連通し、後端側が前記ライトガイド駆動部７２に接続されたチャンネル７８が設けられている。
　第９図に示すように、前記観察窓７５の内側には、対物レンズ７９が設けられるとともに、この対物レンズ７９の結像位置にＣＣＤ８０が設けられ、このＣＣＤ８０に駆動回路８１が接続されている。この駆動回路８１に接続された信号線８２は、挿入部６５，操作部６６，ユニバーサルコード６７，光源コネクタ６８及び信号ケーブル６９内を挿通されて信号コネクタ７０に接続され、この信号コネクタ７０を介してビデオプロセッサ６２に接続されるようになっている。
　また、前記チャンネル７８内には、光断層像観察のためのライトガイド８３が挿通されている。このライトガイド８３の先端面には、前記透光性カバー７７内に配設され、光軸を先端部７４の側方に向けるプリズム８４が固着されている。
　一方、前記ライトガイド８３の後端部は、前記ライトガイド駆動部７２内に導入されており、前記ライトガイド駆動部７２内において、前記ライトガイド８３の後端部に円筒状の口金８５が固定されている。また、前記ライトガイド駆動部７２内には、前記口金８５を回転自在に支持する軸受８６が設けられ、前記口金８５にギア８７が外嵌固定されて、このギア８７にギア８８が噛合している。
　前記ギア８８は、第１のパルスモータ８９の出力軸に固定され、この第１のパルスモータ８９及び前記軸受８６は、ラック９０に固定されている。さらに、このラック９０には、第２のパルスモータ９１の出力軸に固定されたピニオン９２が噛合している。
　従って、前記第１のパルスモータ８９を回転させることにより前記ライトガイド８３が回転し、前記第２のパルスモータ９１を回転させることにより、前記ラック９０を介して前記ライトガイド８３が進退するようになっている。
　また、前記光断層処理装置６３内には、前述の第２実施例と同様のパルスレーザー３７，ＫＤＰ４３，フィルタ４６，光電子増倍管４７，画像処理装置２３などが備えられ、前記パルスレーザー３７からの出射光が、前記ライトガイド７３内の光ファイバ束７３ａを介して前記ライトガイド駆動部７２内のレーザーミラー群に入射される。
　このレーザーミラー群においては、前述の第２実施例同様、ビームスプリッタ３９によって前記パルスレーザー３７からの出射光が２つに分離され、前記ビームスプリッタ３９を透過した光は、さらにビームスプリッタ４０を透過して前記ライトガイド８３に入射され、被検体内部の観察部位に照射されるようになっている。
　また、この観察部位からの反射光は、前記ライトガイド８３から前記ビームスプリッタ４０に導かれ、このビームスプリッタ４０で反射されてビームスプリッタ４２を透過し、前記ライドガイド７３内の光ファイバ束７３ｂを経てＫＤＰ４３に入射されるようになっている。
　一方、前記パルスレーザー３７から出射され、ビームスプリッタ３９で反射された光は、遅延ミラー装置４３のミラー４４ａ，４４ｂで反射され、さらに、ミラー４５を経て前記ビームスプリッタ４２で反射され、前記光ファイバ束７３ｂを経て参照光として前記ＫＤＰ４３に入射されるようになっている。
　そして、前述の第２実施例と同様、前記ＫＤＰ４３からの第２高調波がフィルタ４６を通過して光電子増倍管４７により検出され、ロックインアンプ４８，Ａ／Ｄコンバータ４９を経てコンピュータ５０により画像処理される。
　前記コンピュータ５０で処理された画像信号は、例えば、前記ビデオプロセッサ６２内のスーパーインポーズ回路に入力され、このスーパーインポーズ回路では、内視鏡画像の信号と光断層画像の信号とを合成し、モニタ６４に表示するようになっている。
　尚、前記ライトガイド８３は、第１０図に示すように、前記口金８５に装着される第１の外装チューブ９３内に、前記ライトガイド８３の光ファイバ束９４を被覆する第２の外装チューブ９５が設けられた構造となっており、前記第２の外装チューブ９５の外径Ｄ２と、前記第１の外装チューブ９３の内径Ｄ１との間のクリアランスが、前記第２の外装チューブ９５の肉厚ｔとほぼ同程度に設定されている。これにより、湾曲時の軸方向の動きが確保され、前記光ファイバ束９４の耐久性が向上して折損などを防止することができる。
　次に、本実施例の作用について説明する。
　光源装置６１からの照明光は、ユニバーサルコード６７内の図示しないライトガイドから照明窓７６を経て、被検体、例えば臓器９６に照射される。この臓器９６の光学像は、ＣＣＤ８０によって撮像される。このＣＣＤ８０の出力信号は、ビデオプロセッサ６２内の映像信号処理回路によって処理され、この映像信号処理回路からの映像信号がスーパーインポーズ回路を経てモニタ６４に入力され、このモニタ６４に内視鏡画像が表示される。
　一方、前記臓器９６の生体組織９７の光断層像を観察する場合には、まず、光断層処理装置６３内のパルスレーザー３７より数ピコ秒の光パルスを発生させる。この光パルスは、ビームスプリッタ３９，４０を透過してライトガイド８３に入射され、このライトガイド８３からプリズム８４を経て、臓器９６の生体組織９７に照射される。
　すると、照射された光パルスに対し、生体組織９７内の屈折率の異なる境界面で反射された反射光パルスが、前記ライトガイド８３を介して前述した第２実施例と同様の光路を経て導光され、ＫＤＰ４３に参照光とともに入射される。
　このＫＤＰ４３からの第２高調波は光電子増倍管４７で検出され、ライトガイド駆動部７２にて前記ライトガイド８３を進退，回転させて観測位置を走査しながら上記動作を繰り返すことにより、生体組織９７の光断層像を構成するのに必要なデータが取得される。
　そして、このデータを光断層処理装置６３で処理することにより光断層画像を構築し、ビデオプロセッサ６２内のスーパーインポーズ回路により内視鏡画像と光断層画像とを合成してモニタ６４に表示させる。
　このように本実施例によれば、通常の内視鏡画像の観察とともに、生体組織９７の光断層画像の観察が可能となる。その他の作用、効果は前述した各実施例と同様である。
［発明の効果］
　以上述べたように本発明によれば、被検体内部に挿入する挿入部に、断層像観察のための光を前記挿入部から放射状に走査する手段を備えたため、光走査が容易に行なえ、確実に断層像を得ることができるという効果がある。
【図面の簡単な説明】
　第１図〜第３図は本発明の第１実施例を示し、第１図は断層像観察用光走査装置の構成図、第２図は光ファイバの配置を示す説明図、第３図は光ファイバの先端形状を示す説明図、第４図及び第５図は変形例を示し、第４図は光ファイバの先端形状を示す説明図、第５図は断層像観察用光走査装置の構成図、第６図及び第７図は本発明の第２実施例を示し、第６図は光断層像観察のためのシステム構成図、第７図はプローブ保持バルーンを示す説明図、第８図以下は本発明の第３実施例を示し、第８図は光断層像観察のための内視鏡装置の構成図、第９図はシステム構成図、第１０図は光ファイバ用外装チューブの構成を示す断面図である。
　１…挿入部
　２…光ファイバ束
　３…送受光装置
　４…ガルバノメータ
　５…制御回路